(57)【要約】【課題】非熟練者でも水密状態を保って給水配管又は給湯配管に対して連結することが可能な偏心管の連結構造を提供する。【解決手段】偏心管１０の第１連結管１１を給水配管２０に対して連結する偏心管の連結構造である。給水配管２０には雌ねじ部２１ａ１が設けられている。第１連結管１１には第４円筒部１１ｂが設けられている。第４円筒部１１ｂの連結部材取付部１１ｂ２には、内径部が連結部材取付部１１ｂ２に対し周方向に摺動可能で軸方向に摺動不能な連結部材１４が取付けられている。連結部材１４は雌ねじ部２１ａ１に螺合可能な雄ねじ１４ａを有する。第４円筒部１１ｂの挿入部１１ｂ３はＯリング１６を介して給水配管２０の内径部に水密状態で周方向及び軸方向とも摺動可能に連結可能とされている。給水配管２０の雌ねじ部２１ａ１に雄ねじ１４ａを、螺合させることで給水配管２０に対して連結部材１４を介して偏心管１０を連結する。【選択図】図５
2020186603.tif 000002
【特許請求の範囲】
【請求項１】
クランク形状をした偏心管の一端部を固定配管の端部に対して連結する偏心管の連結構造であって、
前記固定配管の端部には雌ねじ部又は雄ねじ部が設けられており、
前記偏心管の一端部には略円筒状の連結部が設けられており、
該連結部の根本側の第１連結部には、内径部が前記第１連結部に対し周方向に摺動可能で軸方向に摺動不能な略円筒状の連結部材が取付けられており、
該連結部材は前記雌ねじ部に螺合可能な雄ねじ又は前記雄ねじ部に螺合可能な雌ねじを有しており、
前記連結部の先端側の第２連結部はＯリングを介して前記固定配管の内径部に水密状態で周方向及び軸方向とも摺動可能に連結可能とされており、
前記固定配管の前記雌ねじ部に対して前記雄ねじを、又は前記固定配管の前記雄ねじ部に対して前記雌ねじを、螺合させることで前記固定配管に対して前記連結部材を介して前記偏心管を連結する偏心管の連結構造。
【請求項２】
請求項１において、前記固定配管の端部には内径部に前記雌ねじ部が設けられた拡径部が設けられており、前記連結部材は外径部に前記雄ねじが形成されている偏心管の連結構造。
【請求項３】
請求項１又は請求項２において、前記第１連結部に対する前記連結部材の取付は、前記連結部材の一端が前記偏心管の径方向に延びる壁部に当接し前記連結部材の他端がＣリングによって前記偏心管に対して前記一端と反対方向への移動を止められている偏心管の連結構造。
【請求項４】
請求項１ないし請求項３のいずれか１項の偏心管の連結構造を実現する偏心管。
【請求項５】
請求項１ないし請求項３のいずれか１項の偏心管の連結構造を実現する連結部材。
【発明の詳細な説明】
【技術分野】
【０００１】
本発明は、偏心管の連結構造に関する。詳しくは、偏心管を給水配管又は給湯配管に連結したとき偏心管を軸周りに回転させても水密状態を保つことができる偏心管の連結構造に関する。
【背景技術】
【０００２】
従来、湯水混合水栓を壁面に固定された給水配管及び給湯配管に対して連結する場合にクランク形状をした偏心管が用いられている（特許文献１）。この偏心管は、一端部を給水配管又は給湯配管に対して螺合により連結し、他端部を湯水混合水栓に設けられた水流入口又は湯流入口にユニオンナットを利用して連結するものである。
【先行技術文献】
【特許文献】
【０００３】
【特許文献１】実開平２−４７２６１号公報
【発明の概要】
【発明が解決しようとする課題】
【０００４】
上記特許文献１に記載された偏心管は、一端部に設けられた雄ねじを給水配管又は給湯配管の端部内周に設けられた雌ねじ部に対して螺合させる際、雄ねじにシールテープを巻きつけた状態で雌ねじ部に螺合させることにより水密状態を保って連結している。このとき、シールテープを巻いた雄ねじは雌ねじ部に対し一旦締め付けた状態から反対方向に巻き戻して締め付けを緩めようとするとシールテープが損傷して水密状態が保たれなくなるおそれがある。そこで、偏心管の一端部を給水配管又は給湯配管に対してねじ込んでいくときねじ込み過ぎて他端部が湯水混合水栓に設けられた水流入口又は湯流入口から位置ずれしないように充分な注意を払って慎重にねじ込み作業を行う必要があった。これによって、偏心管の給水配管又は給湯配管に対する取付けには熟練を要するという問題があった。
【０００５】
このような問題に鑑み本発明の課題は、非熟練者でも水密状態を保って給水配管又は給湯配管に対して連結することが可能な偏心管の連結構造を提供することにある。
【課題を解決するための手段】
【０００６】
本発明の第１発明は、クランク形状をした偏心管の一端部を固定配管の端部に対して連結する偏心管の連結構造であって、前記固定配管の端部には雌ねじ部又は雄ねじ部が設けられており、前記偏心管の一端部には略円筒状の連結部が設けられており、該連結部の根本側の第１連結部には、内径部分が前記第１連結部に対し周方向に摺動可能で軸方向に摺動不能な略円筒状の連結部材が取付けられており、該連結部材は前記雌ねじ部に螺合可能な雄ねじ又は前記雄ねじ部に螺合可能な雌ねじを有しており、前記連結部の先端側の第２連結部はＯリングを介して前記固定配管の内径部分に水密状態で周方向及び軸方向とも摺動可能に連結可能とされており、前記固定配管の前記雌ねじ部に対して前記雄ねじを、又は前記固定配管の前記雄ねじ部に対して前記雌ねじを、螺合させることで前記固定配管に対して前記連結部材を介して前記偏心管を連結することを特徴とする。
【０００７】
第１発明によれば、偏心管は、第１連結部において周方向に摺動可能で軸方向に摺動不能に取付けられた連結部材を介して固定配管に対して連結され、第２連結部においてＯリングを介して水密状態を保って周方向及び軸方向とも摺動可能に固定配管に対して連結されている。これによって、偏心管の他端部を位置調整のため固定配管の軸線を中心に回転させても偏心管と固定配管との間の水密状態が保たれるので、非熟練者でも偏心管の一端部を固定配管に取付けた状態で他端部の周方向の位置調整を容易に行うことができる。
【０００８】
本発明の第２発明は、上記第１発明において、前記固定配管の端部には内径部分に前記雌ねじ部が設けられた拡径部が設けられており、前記連結部材は外径部分に前記雄ねじが形成されていることを特徴とする。
【０００９】
第２発明によれば、連結部材をコンパクトに形成できるので簡潔な連結構造とすることができる。
【００１０】
本発明の第３発明は、上記第１発明又は上記第２発明において、前記第１連結部に対する前記連結部材の取付は、前記連結部材の一端面部が前記偏心管の径方向に延びる壁部に当接し前記連結部材の他端面部がＣリングによって前記偏心管に対して前記一端面部と反対方向への移動を止められていることを特徴とする。
【００１１】
第３発明によれば、簡潔な構造で偏心管の第１連結部に対して連結部材を周方向に摺動可能で軸方向に摺動不能に取付けることができる。
【００１２】
本発明の第４発明は、上記第１発明ないし上記第３発明のいずれかの偏心管の連結構造を実現する偏心管であることを特徴とする。
【００１３】
第４発明によれば、上記第１発明ないし上記第３発明のいずれかの偏心管の連結構造を実現することができる。
【００１４】
本発明の第５発明は、上記第１発明ないし上記第３発明のいずれかの偏心管の連結構造を実現する連結部材であることを特徴とする。
【００１５】
第５発明によれば、上記第１発明ないし上記第３発明のいずれかの偏心管の連結構造を実現することができる。
【図面の簡単な説明】
【００１６】
【図１】本発明の第１実施形態である偏心管を取付けた湯水混合水栓の斜視図である。
【図２】上記実施形態における偏心管を斜め前方から見た斜視図である。
【図３】上記実施形態における偏心管を斜め後方から見た斜視図である。
【図４】上記実施形態における偏心管の分解斜視図である。
【図５】図２のＶ−Ｖ矢視線断面図である。
【図６】図５の断面で切った状態を示す斜視図である。
【図７】本発明の第２実施形態を示す図５に対応する断面図である。
【図８】本発明の第３実施形態を示す図５に対応する断面図である。
【発明を実施するための形態】
【００１７】
本発明の第１実施形態に係る偏心管１０の連結構造について、図１〜図６を用いて説明する。以下の説明において、方向に関する説明は各図に示された上下前後左右の方向に基づいて行うものとする。
【００１８】
図１に示すように、偏心管１０は、浴室の壁面Ｗに取付けられる壁付けタイプの湯水混合水栓１に対して、壁面Ｗに固定された給水配管２０又は給湯配管３０から水又は湯を供給するクランク状に折れ曲がった部材である。湯水混合水栓１は、左右方向に延びる略円筒形状の水栓本体２と、いずれも水栓本体２に取付けられた、カラン吐出管３と、シャワー吐出管４と、カバー５と、を有する。ここで、給水配管２０と給湯配管３０が、それぞれ特許請求の範囲の「固定配管」に相当する。
【００１９】
図１に示すように、水栓本体２には、その左右方向中央部の下面にカラン吐出管３が設けられ、その左右方向中央部の後面にシャワー吐出管４が設けられている。水栓本体２の後面の右側には、給水配管２０から水の供給を受ける偏心管１０が連結され、水栓本体２の後面の左側には給湯配管３０から湯の供給を受ける偏心管１０が連結されている。給水配管２０から水の供給を受ける偏心管１０と給湯配管３０から湯の供給を受ける偏心管１０は、実質的に同一の構造のものである。水栓本体２の左側の側部には、略円筒形状の温調ハンドル２ａが左右方向に延びる軸回りに回転可能に設けられている。温調ハンドル２ａを回転させることによって、水の供給を受ける偏心管１０から供給される水と、湯の供給を受ける偏心管１０から供給される湯と、の混合割合が変更され、カラン吐出管３又はシャワー吐出管４から吐出される湯水の温度が調節されるようになっている。水栓本体２の右側の側部には、略円筒形状の切替ハンドル２ｂが左右方向に延びる軸回りに回転可能に設けられている。切替ハンドル２ｂのレバー２ｂ１を所定の止水位置から上向きに回転させることによりその回転量に応じた単位時間当たりの量の湯水をシャワー吐出管４から吐出させられるようになっている。また、切替ハンドル２ｂのレバー２ｂ１を所定の止水位置から下向きに回転させることによりその回転量に応じた単位時間当たりの量の湯水をカラン吐出管３から吐出させられるようになっている。
【００２０】
給水配管２０と給湯配管３０は同一形状をしているので、代表として給水配管２０について説明する。図２、図４〜図６に示すように、給水配管２０は、概略フランジの付いた円筒形状をしている。詳しくは、給水配管２０は、第１円筒部２１と、第１円筒部２１の軸方向の一端部側である後側に同軸に配置された第１円筒部２１より小径の第２円筒部２２と、第１円筒部２１の軸方向の他端部側である前側に配置された円盤状のフランジ部２３と、を有する。第１円筒部２１の内径部分には、前側に雌ねじ部２１ａ１が設けられた大径部２１ａが形成され、後側に周方向に延びる２本のリング溝２１ｂ１が軸方向に並んで設けられた小径部２１ｂが形成されている。リング溝２１ｂ１にはＯリング１６が嵌め込まれて配設される。大径部２１ａの軸方向の長さは、小径部２１ｂの軸方向の長さとほぼ等しく設定されている。第２円筒部２２の外径部分には、雄ねじ２２ａが設けられている。雄ねじ２２ａは、給水源に対して給水配管２０を連結する給水管（図示せず）の内径端部に設けられた雌ねじに対して螺合して給水配管２０と給水管を連結するためのものである。フランジ部２３には、周方向に等間隔で３つのビス孔２３ａが設けられている。各ビス孔２３ａにビス２４を通して壁面Ｗに対して締め付けることによって給水配管２０は壁面Ｗに固定される。ここで、大径部２１ａが、特許請求の範囲の「拡径部」に相当する。
【００２１】
図２〜図６に示すように、偏心管１０は、左右方向から見てクランク状に折れ曲がった形状をしている。偏心管１０は、給水配管２０又は給湯配管３０に連結される第１連結管１１と、水栓本体２に連結される第２連結管１２と、第１連結管１１と第２連結管１２を連結する第３連結管１３と、連結部材１４と、を有する。
【００２２】
図２〜図６に示すように、第１連結管１１は、円筒状の形状をしており、第３連結管１３が連結された側である前側の第３円筒部１１ａと、第３円筒部１１ａの軸方向の後側に同軸に配置された第３円筒部１１ａより小径の第４円筒部１１ｂと、を有する。第３円筒部１１ａが第３連結管１３の下端部側の後面部１３ｂに対し第１連結管１１の内筒部１１ｄを第３連結管１３の内筒部１３ｄに連通状態とするように連結されている。第３円筒部１１ａの外径側にはおねじ１１ａ１が設けられている。第３円筒部１１ａと第４円筒部１１ｂの境界には径方向に延びる段差部１１ｃが設けられている。第４円筒部１１ｂの前後方向中央部より若干前より（第３円筒部１１ａ寄り）には、周方向に延びるＣリング溝１１ｂ１が設けられている。Ｃリング溝１１ｂ１には後述するＣリング１５の内径部分が嵌め込まれる溝である。第４円筒部１１ｂにおける段差部１１ｃとＣリング溝１１ｂ１との間の部分が連結部材取付部１１ｂ２であり、Ｃリング溝１１ｂ１から後端までの部分が挿入部１１ｂ３である。連結部材取付部１１ｂ２には、同一軸を中心に相対回転可能にフランジの付いた略円筒状の連結部材１４が取付けられている。連結部材１４については後述する。ここで、第４円筒部１１ｂが、特許請求の範囲の「連結部」に相当する。また、連結部材取付部１１ｂ２と挿入部１１ｂ３が、それぞれ、特許請求の範囲の「第１連結部」と「第２連結部」に相当する。さらに、段差部１１ｃが、特許請求の範囲の「壁部」に相当する。
【００２３】
図２〜図６に示すように、第２連結管１２は、概略フランジの付いた筒形状をしている。詳しくは、第２連結管１２は、外面部において、後側（第３連結管１３の側）が円柱の側面状でおねじ１２ａ１が形成されており、前側（第３連結管１３の反対側）に前端に向かうにつれて徐々に拡径するフランジ１２ｃが形成されている。また、第２連結管１２は、内面部において、外面部の円柱と同軸の六角柱の側面状の孔１２ｂが形成されている。フランジ１２ｃは、水栓本体２に連結するためのユニオンナット４０のユニオン鍔４１が係合するようになっている。第２連結管１２の内面部が、断面六角形に形成されているのは第２連結管１２を第３連結管１３の開口部１３ａ１に対して螺合により取付ける際、第２連結管１２を六角レンチで回転させるためのものである。
【００２４】
図２〜図６に示すように、第３連結管１３は、前面部１３ａと後面部１３ｂと側面部１３ｃとを有する筒状で、内部に断面が略矩形状の内筒部１３ｄが形成されている。前面部１３ａの上端部側には前後方向に貫通する断面が円形の開口部１３ａ１が形成され、開口部１３ａ１の外周縁部には第２連結管１２のおねじ１２ａ１が螺合するめねじ１３ａ１１が形成されている。前面部１３ａの下端部側には前後方向に貫通する断面が円形の開口部１３ａ２が形成され、開口部１３ａ２の外周縁部には栓部材１３ｅの外栓部材１３ｅ１のおねじ１３ｅ１１が螺合するめねじ１３ａ２１が形成されている。開口部１３ａ２の軸線は第１連結管１１の軸線と一致している。栓部材１３ｅは、略円筒状の外栓部材１３ｅ１と、外栓部材１３ｅ１の内筒部に螺合して外栓部材１３ｅ１に対して回転させることにより軸方向に相対移動する略円柱状の内栓部材１３ｅ２と、を有する。外栓部材１３ｅ１の外径部にはおねじ１３ｅ１１が形成されている。内栓部材１３ｅ２の後端部にはフランジ１３ｅ２１が形成されている。内栓部材１３ｅ２が螺合により取付けられた状態で外栓部材１３ｅ１のおねじ１３ｅ１１を第３連結管１３の開口部１３ａ２のめねじ１３ａ２１に螺合させると開口部１３ａ２は閉じられた状態となる。この状態で、外栓部材１３ｅ１に対して内栓部材１３ｅ２を回転させると、フランジ１３ｅ２１と第１連結管１１の内筒部１１ｄの第３連結管１３の内筒部１３ｄに対する開口１１ａ２との間隔が変わる。これによって、第１連結管１１の内筒部１１ｄから第３連結管１３の内筒部１３ｄに至る流路断面の大きさを調整できるようになっている。前面部１３ａに開口部１３ａ２を設けそれを栓部材１３ｅで塞ぐ構造は省いてもよく、その時は前面部１３ａに開口部１３ａ２は設けられない。第３連結管１３に第２連結管１２が連結された状態で、第１連結管１１の内筒部の中心軸と第２連結管１２の孔１２ｂの中心軸とは平行に配置されている。
【００２５】
図２〜図６に示すように、連結部材１４は、概略フランジの付いた円筒形状をしている。詳しくは、連結部材１４は、外筒面部において、雄ねじ１４ａが形成されており、前端部に前面視で（軸方向から見て）六角形をしたフランジ１４ｂが形成されている。また、連結部材１４は、内筒面部には周方向に延びるリング溝１４ｃが形成されおり、前端部に切欠きが設けられて径方向に延びる前端面部１４ｄが形成されている。フランジ１４ｂが前面視で六角形に形成されているのは、スパナ等で連結部材１４を軸を中心に回転させるためである。リング溝１４ｃにはＯリング１６が嵌め込まれて配設される。連結部材１４の後端面部１４ｅと前端面部１４ｄとの間の長さは、第１連結管１１の段差部１１ｃとＣリング溝１１ｂ１の前壁部との間の長さよりわずかに小さく設定されている。この理由は、連結部材１４を第１連結管１１に対して軸方向に相対移動することなく回転させることができるようにするためである。連結部材１４の内筒面部にＯリング１６を取付けた状態でフランジ１４ｂの側から第１連結管１１の第４円筒部１１ｂを通して前端面部１４ｄに段差部１１ｃを当接させる。この状態でＣリング溝１１ｂ１にＣリング１５を挿入して係止させるとＣリング１５は連結部材１４の後端面部１４ｅに当接して、連結部材１４は第１連結管１１に対し軸方向に摺動不能で周方向に摺動可能に組み付けられる。換言すると、連結部材１４は第１連結管１１に対し軸方向に相対移動することなく回転することができる。ここで、前端面部１４ｄと後端面部１４ｅが、それぞれ、特許請求の範囲の「一端面部」と「他端面部」に相当する。
【００２６】
図２〜図６に示すように、カバー部材１７は中央に孔７ａが設けられた傘状の部材で、孔７ａの周縁部に設けられた突起部１７ａ１が第１連結管１１のおねじ１１ａ１に螺合可能とされている。カバー部材１７は偏心管１０が給水配管２０に取付けられた状態で、給水配管２０のフランジ部２３を隠す働きをする。
【００２７】
図２〜図６を用いて、壁面Ｗに固定された給水配管２０に対して偏心管１０を連結する手順について説明する。偏心管１０を連結する前に予め給水配管２０にはＯリング１６を配設しておく。連結部材１４が取付けられた偏心管１０の第１連結管１１を先端側から給水配管２０の小径部２１ｂの内径部分に挿入していく。このとき、予め第１連結管１１のおねじ１１ａ１にカバー部材１７の突起部１７ａ１を螺合させておく。そして、連結部材１４をスパナ等を用いて回転させて第１円筒部２１の雌ねじ部２１ａ１に対して雄ねじ１４ａをねじ込んでいきフランジ１４ｂの後面がフランジ部２３の前面に当接した状態でねじ込みを止める。すると、連結部材１４は第１連結管１１に対して軸方向に相対移動不能に連結されているので第１連結管１１は連結部材１４とともに後方に移動し第４円筒部１１ｂがＯリング１６を介して小径部２１ｂの内径部分に当接する。これによって、第１連結管１１は給水配管２０に対して水密状態を保って連結される。このとき、給水配管２０の軸を中心に偏心管１０を回転させても偏心管１０は給水配管２０に対して水密状態を保って前後方向（第１連結管１１の軸方向）には移動しない。この状態で、カバー部材１７を第１連結管１１のおねじ１１ａ１に対してねじ込んで給水配管２０のフランジ部２３を覆った状態で止める。
【００２８】
こののち、第１連結管１１の軸を中心に第３連結管１３を回転させて水栓本体２の偏心管１０の取付け部に対する第２連結管１２の位置調節を行い位置が決まったらユニオンナット４０を回転させて第２連結管１２を水栓本体２に水密状態を保って連結する。
【００２９】
以上のように構成される本実施形態は、以下のような作用効果を奏する。偏心管１０は、第１連結管１１の連結部材取付部１１ｂ２において周方向に摺動可能で軸方向に摺動不能に取付けられた連結部材１４を介して給水配管２０に対して連結されている。また、偏心管１０は、第１連結管１１の挿入部１１ｂ３においてＯリング１６を介して水密状態を保って周方向及び軸方向とも摺動可能に給水配管２０に対して連結されている。これによって、偏心管１０の第２連結管１２を位置調整のため給水配管２０の軸線を中心に回転させても偏心管１０と給水配管２０との間の水密状態が保たれるので、非熟練者でも偏心管１０の第１連結管１１を給水配管２０に取付けた状態で第２連結管１２の周方向の位置調整を容易に行うことができる。
【００３０】
また、給水配管２０の第１円筒部２１の大径部２１ａには雌ねじ部２１ａ１が設けられており、連結部材１４の外筒面部には雌ねじ部２１ａ１に対して螺合可能な雄ねじ１４ａが形成されている。これによって、連結部材１４をコンパクトに形成できるので簡潔な連結構造とすることができる。さらに、第１連結管１１に対する連結部材１４の取付は、連結部材１４の前端面部１４ｄが第１連結管１１の段差部１１ｃに当接し連結部材１４の後端面部１４ｅがＣリング１５によって第１連結管１１の先端部方向への移動を止められてなされている。これによって、簡潔な構造で偏心管１０の第１連結管１１に対して連結部材１４を周方向に摺動可能で軸方向に摺動不能に取付けることができる。
【００３１】
図７に第２実施形態に係る偏心管１０Ａの連結構造を示す。第１実施形態との違いは、第１連結管１１の挿入部１１ｂ３と給水配管２０の小径部２１ｂとの間に配置されるＯリング１６を軸方向に移動しないようにするためのリング溝が設けられる部材の違いである。偏心管１０が給水配管２０の小径部２１ｂにリング溝２１ｂ１を設けていたのに対し、偏心管１０Ａにおいては第１連結管１１の挿入部１１ｂ３に周方向に延びるリング溝１１ｂ３１を２本軸方向に並んで設けている。その他の構成については、偏心管１０Ａと偏心管１０は変わりがないので同一符号を付して説明を省略する。本実施形態は第１実施形態と同一の作用効果を奏する。
【００３２】
図８に第３実施形態に係る偏心管１０Ｂの連結構造を示す。第１実施形態との違いは、給水管と連結部材の螺結における雄ねじと雌ねじを設ける部材の違いである。給水配管２０Ｂは、第１円筒部２１Ｂの前後方向中央部にフランジ部２３が設けられ、前端部側に雄ねじ部２１Ｂ１が設けられている。連結部材１４Ｂは、外筒面部が円柱の側面状で後端部に前面視で（軸方向から見て）六角形をしたフランジ１４ｂが形成されている。また、連結部材１４Ｂは、内筒面部には、前側に第１連結管１１の第４円筒部１１ｂの外径よりわずかに大きい内径の小径部１４Ｂ１が形成され、後側に内径が小径部１４Ｂ１より大きい大径部１４Ｂ２が形成されている。大径部１４Ｂ２には、雄ねじ部２１Ｂ１に対して螺合可能な雌ねじ１４Ｂ２１が設けられている。小径部１４Ｂ１と大径部１４Ｂ２の境界には径方向に延びる段差部１４Ｂ３が設けられている。連結部材１４Ｂの前端面部１４Ｂ４と段差部１４Ｂ３との間の長さは、第１連結管１１の段差部１１ｃとＣリング溝１１ｂ１の前壁部との間の長さよりわずかに小さく設定されている。この理由は、連結部材１４Ｂを第１連結管１１に対して軸方向に相対移動することなく回転させることができるようにするためである。連結部材１４Ｂの前端面部１４Ｂ４の側から第１連結管１１の第４円筒部１１ｂを通して前端面部１４Ｂ４に段差部１１ｃを当接させる。この状態でＣリング溝１１ｂ１にＣリング１５を挿入して係止させるとＣリング１５は連結部材１４Ｂの段差部１４Ｂ３に当接して、連結部材１４Ｂは第１連結管１１に対し軸方向に摺動不能で周方向に摺動可能に組み付けられる。換言すると、連結部材１４Ｂは第１連結管１１に対し軸方向に相対移動することなく回転することができる。カバー部材１７Ｂは、連結部材１４Ｂの全体を隠すため第１実施形態に比べて前後方向に大型のものとなっている。その他の構成については、偏心管１０Ｂと偏心管１０は変わりがないので同一符号を付して説明を省略する。ここで、給水配管２０Ｂが、特許請求の範囲の「固定配管」に相当する。また、前端面部１４Ｂ４と段差部１４Ｂ３が、それぞれ、特許請求の範囲の「一端面部」と「他端面部」に相当する。
【００３３】
壁面Ｗに固定された給水配管２０Ｂに対して偏心管１０Ｂを連結する手順について説明する。偏心管１０Ｂを連結する前に予め第１連結管１１の挿入部１１ｂ３にＯリング１６を配設しておく。連結部材１４Ｂが取付けられた偏心管１０Ｂの第１連結管１１を先端側から給水配管２０Ｂの内径部分に挿入していく。このとき、予め第１連結管１１のおねじ１１ａ１にカバー部材１７Ｂの突起部１７ａ１を螺合させておく。そして、連結部材１４Ｂをスパナ等を用いて回転させて給水配管２０Ｂの雄ねじ部２１Ｂ１に対して雌ねじ１４Ｂ２１をねじ込んでいきフランジ１４ｂの後面がフランジ部２３の前面に当接した状態でねじ込みを止める。すると、連結部材１４Ｂは第１連結管１１に対して軸方向に相対移動不能に連結されているので第１連結管１１は連結部材１４Ｂとともに後方に移動し第４円筒部１１ｂがＯリング１６を介して給水配管２０Ｂの内径部分に当接する。これによって、第１連結管１１は給水配管２０Ｂに対して水密状態を保って連結される。このとき、給水配管２０Ｂの軸を中心に偏心管１０Ｂを回転させても偏心管１０Ｂは給水配管２０Ｂに対して水密状態を保って前後方向（第１連結管１１の軸方向）には移動しない。この状態で、カバー部材１７Ｂを第１連結管１１のおねじ１１ａ１に対してねじ込んで給水配管２０Ｂのフランジ部２３を覆った状態で止める。
【００３４】
こののち、第１連結管１１の軸を中心に第３連結管１３を回転させて水栓本体２の偏心管１０Ｂの取付け部に対する第２連結管１２の位置調節を行い位置が決まったらユニオンナット４０を回転させて第２連結管１２を水栓本体２に水密状態を保って連結する。本実施形態は、連結部材１４Ｂが連結部材１４より大型となってコンパクト性が劣る点を除いて、第１実施形態と同一の作用効果を奏する。
【００３５】
以上、特定の実施形態について説明したが、本発明は、それらの外観、構成に限定されず、本発明の要旨を変更しない範囲で種々の変更、追加、削除が可能である。例えば、次のようなものが挙げられる。
【００３６】
１．上記実施形態においては、偏心管１０，１０Ａ，１０Ｂを、第１連結管１１と第２連結管１２が第３連結管１３に対して垂直に取付けられる構造としたが、これに限らず、第１連結管１１と第２連結管１２が平行な関係にあれば垂直でなくてもよい。すなわち、左右方から見て実質的なクランク形状であればよい。
【００３７】
２．上記実施形態においては、第２連結管１２は第３連結管１３に対して螺合で取付けるものとして構成したが、これに限らずロー接や溶接等で取付けてもよいし、一体で形成されていてもよい。
【００３８】
３．上記第１実施形態及び第２実施形態においては、連結部材１４と第１連結管１１との間にＯリング１６を配設したが、Ｏリング１６は必須のものではなく省略することもできる。
【符号の説明】
【００３９】
１     湯水混合水栓
２     水栓本体
１０，１０Ａ，１０Ｂ 偏心管
１１   第１連結管
１１ａ 第３円筒部
１１ｂ 第４円筒部
１１ｂ１，１１ｂ３１ Ｃリング溝
１１ｂ２      連結部材取付部（第１連結部）
１１ｂ３      挿入部（第２連結部）
１１ｃ 段差部（壁部）
１１ｄ 内筒部
１２   第２連結管
１２ｃ 孔
１３   第３連結管
１３ｄ 内筒部
１４，１４Ｂ  連結部材
１４ａ 雄ねじ
１４ｂ フランジ
１４ｃ リング溝
１４ｄ 前端面部（一端面部）
１４ｅ 後端面部（他端面部）
１４Ｂ１      小径部
１４Ｂ２      大径部
１４Ｂ３      段差部（他端面部）
１４Ｂ４      前端面部（一端面部）
１５   Ｃリング
１６   Ｏリング
２０，２０Ｂ  給水配管（固定配管）
２１，２１Ｂ  第１円筒部
２１ｂ１      リング溝
２１ｂ 小径部
２１ａ 大径部（拡径部）
２１ａ１，２１Ｂ１   雌ねじ部
２２   第２円筒部
３０   給湯配管（固定配管）
４０   ユニオンナット
Ｗ     壁面
【図１】
2020186603.tif 000003
【図２】
2020186603.tif 000004
【図３】
2020186603.tif 000005
【図４】
2020186603.tif 000006
【図５】
2020186603.tif 000007
【図６】
2020186603.tif 000008
【図７】
2020186603.tif 000009
【図８】
2020186603.tif 000010